(57)【特許請求の範囲】
【請求項１】
バケット部の左右両端部に並設状態に縦杆部を突設し、この並設状態の各縦杆部の先端部間に握持杆部を架設し、前記縦杆部の前記バケット部側となる基端部側から前記握持杆部側となる先端部側の途中に、並設間隔を前記バケット部及び前記握持杆部の横幅よりも狭く、且つ人の足が挿入可能な幅に設定したスリム部を形成し、このスリム部を形成する縦杆部間にこの縦杆部と面一状態に補助握持杆部を架設し、この補助握持杆部は、スノーダンプとして使用した際に、作業者が前記握持杆部を握持した状態でこの補助握持杆部に足を曲げた状態で掛けることができ、且つ、スコップとして使用した際に、作業者が一方の手で記握持杆部を握持し、もう一方の手でこの補助握持杆部を握持してバランスよく前記バケット部をスコップ操作することができる前記スリム部の前記バケット部側となる基端部からやや上方側の位置に架設して、スノーダンプとしてもスコップとしても使用することができるように構成したことを特徴とするバケット型手動運搬具。
【発明の詳細な説明】
【技術分野】
【０００１】
本発明は、バケット部に雪や土砂などの運搬物を掬い入れて運搬するバケット型手動運搬具に関するものである。
【背景技術】
【０００２】
例えば、従来、除雪作業を行う場合は、バケット型手動運搬具（例えば、スノーダンプ）やスコップを用いて、バケット部で雪を掬って融雪溝まで運搬して排雪したり、邪魔にならない場所に寄せ集めたりして除雪していた。
【０００３】
この際、道路や玄関先などの平坦で広い箇所を除雪する際には、前者のバケット型手動運搬具を用いた方が効率よく、狭い場所や階段などの段差がある箇所を除雪する際には、後者のスコップの方が適していた。
【０００４】
従って、除雪作業の際は、このバケット型手動運搬具とスコップの両方を準備して、状況にあわせて使い分けていた。
【発明の概要】
【発明が解決しようとする課題】
【０００５】
しかしながら、一々、バケット型手動運搬具とスコップの両方を準備して、状況に応じて持ち替えることは厄介なことであり、また、作業性も低下させるものであった。
【０００６】
そこで、本発明は、バケット型手動運搬具とスコップの両方の機能を有する利便性の高い実用的なバケット型手動運搬具を提供することを目的とする。
【課題を解決するための手段】
【０００７】
添付図面を参照して本発明の要旨を説明する。
【０００８】
バケット部１の左右両端部に並設状態に縦杆部２を突設し、この並設状態の各縦杆部２の先端部間に握持杆部３を架設し、前記縦杆部２の前記バケット部１側となる基端部側から前記握持杆部３側となる先端部側の途中に、並設間隔を前記バケット部１及び前記握持杆部３の横幅よりも狭く、且つ人の足が挿入可能な幅に設定したスリム部４を形成し、このスリム部４を形成する縦杆部２間にこの縦杆部２と面一状態に補助握持杆部５を架設し、この補助握持杆部５は、スノーダンプとして使用した際に、作業者が前記握持杆部３を握持した状態でこの補助握持杆部５に足を曲げた状態で掛けることができ、且つ、スコップとして使用した際に、作業者が一方の手で記握持杆部３を握持し、もう一方の手でこの補助握持杆部５を握持してバランスよく前記バケット部１をスコップ操作することができる前記スリム部４の前記バケット部１側となる基端部からやや上方側の位置に架設して、スノーダンプとしてもスコップとしても使用することができるように構成したことを特徴とするバケット型手動運搬具に係るものである。
【発明の効果】
【０００９】
本発明は上述のように構成したから、例えば、降り積もった雪を除雪する除雪具として使用する場合は、握持杆部を両手で握持してバケット部を押し引き操作するスノーダンプとなり、更に、締まった雪や重い雪など手で押すだけではなかなかバケット部が入り込まない雪にバケット部を押し込むときでも、スリム部の並設間隔を人の足が挿入可能な幅に設定したことにより、スリム部に架設した補助握持杆部に足を掛けて踏み込むことができ、手で押すよりも強い力でバケット部を前方に押しやり雪の中にバケット部を押し込むことができる。
【００１０】
また、片手で握持杆部を握持し、もう一方の手で補助握持杆部を握持してバケット部をスコップ操作することができ、このスコップ操作の際に、縦杆部の並設間隔を狭くしたスリム部を設けたので、例えば、このスリム部の外側に身体を入れ込むことで、縦杆部が邪魔になることなく握持している手を身体側に引き寄せることができ、従来のスコップ同様に操作することができる。
【００１１】
即ち、本発明は、一台でスノーダンプとスコップの二つの機能を有するので、一々、作業目的に応じてスノーダンプとスコップを持ち替える必要がなく作業性に優れた画期的なバケット型手動運搬具となる。
【００１２】
また、本発明は、バケット部を前方に押しやる際にバケット部に均等に力がかかるので、バケット部の破損を防止し、更に、左右両端に均等に押圧力が掛かることでバケット部を真っ直ぐに押し進めることが出来る操作性も向上する実用性に優れたバケット型手動運搬具となる。
【図面の簡単な説明】
【００１３】
【図１】本実施例を示す斜視図である。
【図２】本実施例を示す平面図である。
【図３】本実施例を示す側面図である。
【図４】本実施例のバケット部の表面側を示す斜視図である。
【図５】本実施例のバケット部の裏面側を示す斜視図である。
【図６】本実施例の使用状態を示す説明図である。
【図７】本実施例の使用状態を示す説明図である。
【発明を実施するための形態】
【００１４】
好適と考える本発明の実施形態を、図面に基づいて本発明の作用を示して簡単に説明する。
【００１５】
握持杆部３を両手で握持してバケット部１を押し引き操作することができ、しかも、締まった雪や重い雪など手で押すだけではなかなかバケット部１の先端側が入り込まないような硬い雪にバケット部１を押し込む際には、例えば、スリム部４の並設間隔を人の足が挿入可能な幅に設定することで、スリム部４に架設した補助握持杆部５に足を掛けて強く踏み込むことができ、手で押すよりも、より一層強い力でバケット部１を前方に押しやることができるので、硬い雪でも容易にバケット部１を押し込むことができる。
【００１６】
更に、片手で握持杆部３を握持しもう一方の手で補助握持杆部５を握持してバケット部１をスコップ操作することができ、しかも、バケット部１と握持杆部３との途中に握持杆部３の横幅よりも狭めたスリム部４を設けたことで、このスリム部４の外側に作業者が身体を入れ込むことができる凹状空間部が形成され、作業者はこの凹状空間部に身体を入れ込むことで握持杆部３と補助握持杆部５とを握持している夫々の手を身体の近くに引き寄せることができるので、従来の棒状の柄杆が設けられたスコップを操作するのと同じように快適に作業することができる。
【実施例】
【００１７】
本発明の具体的な実施例について図面に基づいて説明する。
【００１８】
本実施例は、バケット部１の左右両端部から突出した縦杆部２の先端部に握持杆部３を設け、このバケット部１の左右両端部から突出した縦杆部２の途中の並設間隔をバケット部１の横幅及び握持杆部３の横幅よりも狭めたスリム部４を設け、このスリム部４に補助握持杆部５を架設したバケット型手動運搬具を除雪具として採用したものである。
【００１９】
具体的には、バケット部１は、図４に示すように、上面および一端側（先端側）を開口した箱形状に形成し、左右上端部に夫々、縦杆部２を付設する縦杆付設部６を設けた構成としている。
【００２０】
この縦杆付設部６は、縦杆部２を挿入係止し得る形状に構成し、具体的には、円筒形の基端側上部及び先端側下部を切り欠き夫々円弧形状に形成した縦杆支持部７を、バケット部１の左右縁部に沿って二箇所に並設した構成としている。
【００２１】
また、図４，図５に示すように、底部は湾曲形状に形成し、バケット部１表面側では凹条、バケット部１裏面側では凸条となる複数の補強リブ８を並設した構成としている。
【００２２】
また、本実施例のバケット部１は、従来のものよりも小型で軽量な構成としており、例えば、女性やお年寄りなど力の無い人でも容易に操作できるように構成している。
【００２３】
具体的には、従来の除雪具のバケットの横幅は５０ｃｍ〜６０ｃｍであるが、本実施例のバケット部１の横幅は、３０ｃｍ〜４０ｃｍと３分の２程度の大きさに構成し、また、バケット部１の材質も合成樹脂を採用している。尚、バケット部１の材質は、合成樹脂に限らず、アルミやチタンなどの軽金属でも良く、バケット部１に適した加工性、耐久性を有する軽量な材質であれば適宜採用するものである。
【００２４】
また、このバケット部１に左右並設状態に突設する縦杆部２は、このバケット部１の左右両端部に設けた縦杆付設部６に挿入可能な金属製の断面円形パイプを所定形状に折曲して形成している。
【００２５】
具体的には、この縦杆部２の基端側（バケット部１側）は、バケット部１の左右両端部に設けた縦杆付設部６に挿入し得る並設間隔に設定し、即ち、バケット部１の横幅に並設間隔を設定し、この縦杆部２をバケット部１から左右並設状態に突設した際に、このバケット部１から突出した縦杆部２を内方に折曲しバケット部１の横幅よりも並設間隔の狭いスリム部４を設け、このスリム部４の先端側を外方に折曲し、再び幅広の並設間隔に設定し、前記スリム部４に補助握持杆部５を架設した構成としている。
【００２６】
また、言い換えると、バケット部１の左右両端から左右並設状態に突出した縦杆部２のバケット部１と握持杆部３との途中を内側に凸となる凹状に屈曲し並設間隔の狭いスリム部４を設けると共に、このスリム部４の外側に凹状空間部が形成され、スリム部４に補助握持杆部５を架設した構成としている。
【００２７】
更に、この縦杆部２は、図３に示すように、スリム部４の基端部を折曲して、この縦杆部２が側面視した際に、先端側が上方に位置する傾斜状態となるように構成しており、具体的には、この縦杆部２の基端側を水平状態とした際、即ち、バケット部１を水平状態とした際に、このバケット部１に対してスリム部４の基端部よりも先端側が略４５°の傾斜状態となるように構成としている。
【００２８】
更に詳しく説明すると、スリム部４の並設間隔は、人の足が挿入可能な幅に設定しており、更に具体的には、縦杆部２の基端側又は先端側の幅広の並設間隔に対して、略半分の並設間隔となるように設定しており、本実施例においては、基端側又は先端側の幅広の並設間隔を約３５ｃｍに設定したことに対して、スリム部４の並設間隔は、約１５ｃｍに設定している。
【００２９】
また、このスリム部４の長さは、５０ｃｍ〜７０ｃｍに設定し、本実施例では、スリム部４の長さを約６０ｃｍに設定している。
【００３０】
また、このスリム部４に架設した補助握持杆部５は、例えば締まった雪や重くなった雪など手で押すだけではなかなかバケット部が入り込まない硬い雪にバケット部１を押し込むときにこの補助握持杆部５に片足を掛けて踏み込んでより一層強い力でバケット部１を前方に押しやったり、或いは、片手で握持杆部３を握持し、もう一方の手でこの補助握持杆部５を握持して、バケット部１をスコップ操作する際に利用するものであり、スリム部４の中間位置よりも基端部側（バケット部１側）に配置した構成とし、具体的には、スリム部４の基端部（バケット部１側）から若干先端側（握持杆部３側）に上がった位置（本実施例では、基端部から１０ｃｍ〜１５ｃｍ程度、先端側に上がった位置）に設け、また、後述する握持杆部３からの距離が、６０ｃｍ〜８０ｃｍとなる位置に設けた構成としている。
【００３１】
即ち、このスリム部４に架設した補助握持杆部５の位置が下方側過ぎた場合は、本実施例をスノーダンプとして使用する際は、この補助握持杆部５に足を掛けた際に足が伸びた状態となり、この補助握持杆部５を力強く踏み込むことができなくなり、また、本実施例をスコップとして使用する際は、握持杆部３と補助握持杆部５との間隔が広くなりすぎて持ち難くなりバケット部１を上手にスコップ操作することができなくなる。
【００３２】
また、このスリム部４に架設した補助握持杆部５の位置が上方側過ぎた場合は、本実施例をスノーダンプとして使用する際は、補助握持杆部５に足が掛け難くかったり、或いは、足を掛けた状態が窮屈な状態となり、この補助握持杆部５を力強く踏み込むことができなくなり、また、本実施例をスコップとして使用する際は、先端側に偏った支持状態となり、持ち上げた際にバケット部１側が重くなり、雪などの積載物を積載した状態では持ち上げることができなくなる。
【００３３】
従って、本実施例では、この補助握持杆部５の架設位置を、前述したようにスリム部４の基端部よりもやや上方側に設け、作業者が足を軽く曲げた状態で容易に掛けられる位置に配置した構成とし、バケット部１をスコップ操作する際にも、バランスよく安定した状態で支持することができ、容易に操作することができる。
【００３４】
尚、スリム部４に架設する補助握持杆部５は複数でもよく、また、複数の補助握持杆部５をスリム部４に架設する際には、補助握持杆部５の並設間隔を作業者の足を挿入し得ることができる間隔に設定することが好ましく、このように複数の補助握持杆部５を架設することで、作業者の体型（足や腕の長さ）に適した位置の補助握持杆部５を選択でき、快適に操作することができることとなり、より一層実用性に優れたバケット型手動運搬具となる。
【００３５】
このように構成した縦杆部２は、従来のスノーダンプなどのバケット型手動運搬具の縦杆よりも長さを長く設定しており、具体的には、バケット部１の基端側から突出する縦杆部２の長さを８０ｃｍ〜９０ｃｍに設定し、本実施例をスコップ操作する際に、バランスよく支持できる長さとなるように構成している。
【００３６】
また、握持杆部３は、前述した縦杆部２の先端部に架設状態に設けており、本実施例では、並設状態の縦杆部２の先端側を内側に略直角に折曲し、前記縦杆部２と直交する方向に架設状態となる縦杆部２を形成し、これを握持杆部３としている。
【００３７】
本実施例では、この内側に折曲した夫々の縦杆部２の先端部同士を、溶接を用いて接合し、縦杆部２と握持杆部３とを一体化した枠体９を形成している。
【００３８】
このようにして形成した枠体９は、図２に示すように、握持杆部３の左右両端部から縦杆部２を垂設し、この垂設した左右の縦杆部２の夫々に傾斜状態の縦杆部２を連設し、正面視逆八の字形状の縦杆部２となるように構成して、この枠体９の握持杆部３側を環状に形成し、先端部の水平方向に配した握持杆部３以外にも、この握持杆部３の左右両端部から垂設した縦杆部２や傾斜状態に設けた縦杆部２も握持できる構成とし、より操作性を向上させた構成としている。
【００３９】
尚、この縦杆部２と握持杆部３とで構成する枠体９は、金属製のパイプを折曲して一体形成したものを採用しても良い。
【００４０】
以上のように構成した本実施例の作用・効果は以下のようになる。
【００４１】
本実施例をスノーダンプとして使用する際は、従来品と同等、握持杆部３を両手で握持してバケット部１を押し引き操作することができることは勿論のこと、締まった雪や重い雪など手で押すだけではなかなかバケット部１の先端側が入り込まないような硬い雪にバケット部１を押し込まなければならない状況でも、図６に示すように、スリム部４に架設した補助握持杆部５に足を掛けて強く前方に踏み込むことで、手で押すよりも、より一層強い力でバケット部１を前方に押しやることができるので、硬い雪でも、容易にバケット部１を押し込むことができる。
【００４２】
更に、図７に示すように、片手で握持杆部３を握持しもう一方の手で補助握持杆部５を握持することで、本実施例をスコップとして使用することができ、しかも、バケット部１と握持杆部３との途中にスリム部４を設けたことで、このスリム部４の外側に作業者が身体を入れ込むことができる凹状空間部が形成され、作業者はこの凹状空間部に身体を入れ込むことができることで、握持杆部３と補助握持杆部５とを握持している夫々の手を身体の近くに引き寄せることができるので、縦杆部２が邪魔になって身体と握持した手との距離が離れて腕に負担が掛かる状態となることなく、従来の棒状の柄杆が設けられたスコップを操作するのと同じように快適に作業することができる画期的なバケット型手動運搬具となる。
【００４３】
即ち、本実施例は、スコップ機能を有する小型のスノーダンプであり、特に女性が使用することに適しており、力の弱い女性でも足で蹴り込むことでより強い力でバケット部１を前方に押しやることができ容易に硬い雪も掬うことができ、更に、両手で持ってバケット部１をスコップ操作する際にも、持ち易く、容易に雪掬い作業ができる一台二役の機能性・実用性に優れた画期的なバケット型手動運搬具となる。
【００４４】
また、本実施例では、雪を除雪する除雪具として用いた場合に関して説明したが、本実施例は、雪に限らず、土砂などでも同様の作用・効果を発揮するものである。
【００４５】
尚、本発明は、本実施例に限られるものではなく、各構成要件の具体的構成は適宜設計し得るものである。
【符号の説明】
【００４６】
１  バケット部
２  縦杆部
３  握持杆部
４  スリム部
５  補助握持杆部
【図１】
0005362652.tif 000002
【図２】
0005362652.tif 000003
【図３】
0005362652.tif 000004
【図４】
0005362652.tif 000005
【図５】
0005362652.tif 000006
【図６】
0005362652.tif 000007
【図７】
0005362652.tif 000008